(57)【特許請求の範囲】
【請求項１】
便器内で人体が排泄する排泄物を受ける排泄物受け手段を有し、前記排泄物受け手段は便を受ける便受け部と前記便受け部を支持する支持部で構成し、前記便受け部が一定量以上の便を受けた際に、前記便受け部が傾倒し、余分な便をオーバーフローさせて便槽に落下するようにしたことを特徴とする採便用具。
【請求項２】
排泄物の一部を採取する採取手段を有し、前記採取手段は排泄物受け手段の便受け部に挿入するようにした請求項１記載の採便用具。
【請求項３】
採取手段は弾力性を有する棒状材料で構成した請求項２記載の採便用具。
【請求項４】
採取手段の挿入部分に溝孔部を設け、前記溝孔部により便受け部の便の一部を採取するように、少なくとも前記溝孔部を便に接する方向に向けて、採取手段を前記便受け部に挿入した請求項２または３記載の採便用具。
【請求項５】
支持部および便受け部の相離れる両端部に夫々貫通孔を設け、採取手段は前記両端部の貫通孔を貫通した請求項２ないし４のいずれか１項に記載の採便用具。
【請求項６】
支持部に採取手段が屈曲する際の支点となる突起部を設けた請求項５記載の採便用具。
【請求項７】
採取手段は排泄物受け手段に設けた貫通孔を通って、便受け部に挿入し、採取手段に設けた溝孔部を含む部分の外径とほぼ同径の前記貫通孔の内径とした請求項２ないし６のいずれか１項に記載の採便用具。
【請求項８】
排泄物受け手段を便器・便座に着脱可能に取り付けた請求項１ないし７のいずれか１項に記載の採便用具。
【請求項９】
排泄物受け手段は、水溶性材料で構成した請求項１ないし８のいずれか１項に記載の採便用具。
【発明の詳細な説明】
【０００１】
【発明の属する技術分野】
本発明は、一般家庭、病院のトイレにおける検便用の糞便の採取のために使用する採便用具に関するものである。
【０００２】
【従来の技術】
一般家庭、病院のトイレにおいて、大腸がん（便潜血）、蟯虫、回虫等の検査のために糞便を採取する場合、洋式便器においては便槽の溜水面より上に出ている部分にトイレットペーパーを敷いて糞便することにより、ペーパー上に便を受け、その後受けた糞便を、便採取用スティックに付着させていた。また和式便器においては、便槽の通常の便落下位置にあたる浅い溜水部にトイレットペーパーを敷いて糞便することにより、洋式便器と同様にペーパー上に便を受け、受けた糞便を便採取用スティック等に付着させていた。
【０００３】
しかしこのような採便手段においては、洋式便器の場合は便槽の角度によっては、受けた便が溜水面に滑り落ちて、便採取用スティック等による採取ができないケースがあった。また洋式便器の中でもサイホンゼット式に代表される溜水面が広く、トイレットペーパーを敷くことが困難な便器もあり、確実な採取方法とは言えなかった。また和式便器の場合、敷いたトイレットペーパーに他人の尿便等で汚染された溜水部の水が浸透して、検査の正確さに対して問題があった。
【０００４】
そこで紙製等の便受けを便器に設置して、便を確実に受けるものが提案されている。例えば、実開平５−９２７２３号公報では、水溶性の便受け部材とこの部材を便器に固定する部材と組み合わせることで、水洗式、汲取式を問わず容易に便が採取でき、かつ使用後の始末を考慮して、便を受けることが可能で、且つ水洗式、汲取式を問わず処分可能な材料、例えば水溶性か又は水中にてほぐれて分散する材料から形成する採便用具が提案されている。
【０００５】
これは図１１に示すとおり、便器に固定する紙製の固定部材１０１と、紙製の便受け部材１０２からなる。便受け部材１０２は便を受けるために、側壁部１０２ａに挟まれた谷部１０２ｂを有する。便器固定部材１０１と便受け部材１０２とは、一体的に形成される。谷部１０２ｂには便を逃がさないための窪み１０３を有する便受１０２ｃを有する。便器への固定部材１０１は和式おいては便器の淵に引っ掛け、洋式においては便器と便座の間にはさみ込む等して使用するものである。
【０００６】
また、別の従来例として特開平７−２７０４０３号公報では、便器を汚すことなく簡単に糞便採取ができるとともに、配管の詰まりや汚水処理時の弊害を招くことなく水洗処理できるようにして、検便のための糞便採取の煩わしさを解消できる安価な採便用シートが提案されている。
【０００７】
これは図１２に示すとおり、両端縁部が便器の左右縁上に重なる長さＬと中間部の糞便受け部２０１の幅が糞便を受けるに足りる幅Ｗに形成し、糞便受け部２０１の両側に伸長用切り目２０２を設けてなる水解性のシート本体２０３の両端縁部の片面に、剥離テープ２０４で覆われた水解性の両面接着テープ２０５を貼着してなり、両面接着テープ２０５を便器の左右縁に接着することにより便器上に張設して使用する採便用シートである。
【０００８】
そしてシート本体２０３の両端縁部に設けた両面接着テープ２０５を、剥離テープ２０４を剥して露呈させた後、落とし口又は便器（以下、単に便器という）の左右縁に接着することにより、便器上に張設使用され、糞便の採取準備又は排便準備が完了する。そして、洋式の便器の場合は便座を倒してから排便をすると、糞便は採便用シートの糞便受け部２０１で受けられるようになる。この場合、採便用シートは接着テープによって便器に固定されているので、便器内へ落下することなく確実に支持されるようになるから、検便のための糞便採取の場合は、糞便の採取を容易とするとともに水洗処理ができ、携帯用便器に使用した場合には、便器、便溜めを汚すことなく、糞便を採便用シートに包んで水洗トイレ等で迅速に廃棄処理することができるものである。
【０００９】
【発明が解決しようとする課題】
しかしながら、従来例の糞便の採取は、落下してくる便をそのまま受けるもので、便受け部（図１１においては便受け部材１０２、図１２においては糞便受け部２０１）では排泄された便が滞留するようにできている。このため排泄する便量が多い場合、採取する糞便の量は、実際に検査で必要とする採取量に比べてはるかに多い。具体的には全便量を便受け部で受けたとして約２００ｇ、これに対して便採取用スティック等で採取し検査で必要とする量は約０．１ｇであり、便潜血等が便に対して不均一に入っていることを考慮しても、採取のために必要な糞便量は５０ｇもあれば十分である。
【００１０】
従って従来例では使用者が検査用サンプルを採取する際に、滞留した糞便に対して，便採取用スティックを突き刺し、または擦り付けて採取することになり、糞便の滞留自体に汚さを感じることがある。これは必要以上の量の糞便が滞留することに課題があるからである。
【００１１】
本発明はこのような課題に対して、採取のために必要な糞便量を便器内で確保でき、さらに確保した後の余分な糞便は便槽へ自動的に落とすことができる採便用具を提供するものである。
【００１２】
【課題を解決するための手段】
本発明は上記の課題を解決するもので、便器内で人体が排泄する排泄物を受ける排泄物受け手段において、排泄物受け手段は便を受ける便受け部と便受け部を支持する支持部で構成し、便受け部が排泄された糞便の内必要な量を確保した後、糞便の重さにより、支持部に支持された便受け部を傾倒させることにより、余分な便を便受け部上部に滞留させずにオーバーフローさせ、便漕に落下させることができるものである。
【００１３】
【発明の実施の形態】
本発明は、便器内で人体が排泄する排泄物を受ける排泄物受け手段を有し、排泄物受け手段は便を受ける便受け部と便受け部を支持する支持部で構成し、便受け部が排泄された糞便の内、検査に必要な量を確保した後、糞便の重さにより、支持部に支持された便受け部を傾倒させることにより、余分な便を便受け部上に滞留させないでオーバーフローさせるようにして、実施化し得るものである。
【００１４】
従って便受け部が、排泄された糞便の内検査に必要な量を確保した後、糞便の重さにより、支持部に支持された便受け部を傾倒させることにより、余分な便を便受け上部に滞留させずにオーバーフローさせ、便槽に落下させることができる。
【００１５】
さらに上記に加えて、排泄物の一部を採取する採取手段を有し、採取手段は排泄物受け手段の便受け部に挿入するとよい。
【００１６】
その場合、便受け部にあらかじめ挿入した採取手段が受けた便の一部を採取することで、採取手段を便の中に挿入する手間を省くことができる。
【００１７】
さらに、上記に加えて採取手段は弾力性を有する棒材料で構成するとよい。
その場合、受け手段に確保された糞便の重さにより、弾力性を有する採取手段が屈曲し、支持部に支持された便受け部が傾倒して余分な量の便を便槽内に落下させることができる。
【００１８】
さらに上記に加えて、採取手段には、排泄物受け手段の便受け部への挿入部分に溝孔部を設け、少なくとも溝孔部により便受け部の便を採取するように溝孔部は便受け部に受けた便に接する方向で排泄物受け手段の便受け部に挿入するとよい。
【００１９】
その場合、便受け部に確保された糞便の重さにより、溝孔部に糞便が圧接することにより、溝孔部による糞便採取が容易にできる。
【００２０】
さらに上記に加えて、便受け部の支持部の反対側の端部と、支持部の便受け部の反対側の端部に貫通孔を設け、採取手段は両端部の貫通孔を貫通するようにするとよい。
【００２１】
その場合は、便受け部に確保された糞便の重さにより、両端部の貫通孔を支点として採取手段が屈曲し、その反発力により糞便への溝孔部の圧接力を高めることができ、溝孔部による糞便採取が容易にできる。
【００２２】
さらに上記に加えて、採取手段が屈曲する際の支点となる突起を、支持部に設けるとよい。
【００２３】
その場合、便受け部に確保された糞便の重さにより、両端の貫通孔を支点として採取手段が屈曲する際に、突起が支点となり採取手段の屈曲長さが短くなることで屈曲の反発力が高くなり、糞便への溝孔部の圧接力を高めることができる。
【００２４】
さらに上記に加えて、採取手段は排泄物受け手段に設けた貫通孔を通って、便受け部に挿入し、採取手段に設けた溝孔部を含む部分の外径とほぼ同径の前記貫通孔の内径とするとよい。
【００２５】
その場合、便受け部が採取した糞便の一部を、採取手段が溝孔部により採取し、貫通孔を通して採取手段を引き抜くことにより、採取手段の溝孔部に余分に付着した糞便を掻き取ることができる。
【００２６】
さらに上記に加えて、排泄物受け手段を便器に着脱可能に取り付けるとよい。
そして便器・便座に着脱自在に取り付けることができる。
【００２７】
さらに上記に加えて、排泄物受け手段は水溶性材料で構成するとよい。その場合、糞便の採取により汚れた排泄物受け手段を、便器から脱着し、便漕に落下した後に汚水配管に流すことができる。
【００２８】
以下、本発明の実施例について図面を用いて説明する。
（実施例１）
本発明の実施例１について、図１、図２を参照しながら説明する。
【００２９】
図１において、１は排泄物受け手段、２は排泄物受け手段１の便を受けるカップ状の便受け部、３は排泄物受け手段１の便受け部２を支持する支持部、４は便受け部２のカップの開いた面、５は便器である。排泄物受け手段１は便器５の上面に設置されていて、支持部３および便受け部２は便器５の便槽内に突出している。便受け部２の面４はほぼ水平であり、鉛直方向上方に向いている。支持部３は弾力性を有した材料で構成されている。ここでは便受け部２および支持部３ともに紙材料であるパルプモールド材を用いて制作しており、支持部３の弾力性はパルプモールド材の厚みにより調整する。
【００３０】
なお、支持部３は全体が弾力性をもたなくとも、剛性で途中において一部屈曲するようにしてもよい。
【００３１】
図２は図１の様に構成された排泄物受け手段１の動作説明図であり、図２（ａ）は便が落下し便受け部２に入る直前の状態、図２（ｂ）は便が便受け部２に入った時の状態、図２（ｃ）は便が便受け部２からオーバーフローする状態を示す。
【００３２】
次に動作、作用について説明する。使用者が排泄物検査の目的で、排泄物受け手段１の便受け部２の上で排便を行う。図２（ａ）に示すように排泄された便は落下し、便受け部２のカップの開いた面４から便受け部２に入る。便受け部２に便が入ると、図２（ｂ）に示すように支持部３が受けた便の重量により、屈曲する。支持部３の屈曲により同部に支持された便受け部２は傾倒する。そして便受け部２のカップの開いた面４も同様に傾倒する。そして図２（ｃ）に示すように便受け部２のカップからはみ出した余分な便がオーバーフローし、便槽に落下する。使用者は排泄終了後、便受け部２に残っている便から検査用サンプルを採取する。
【００３３】
（実施例２）
本発明の実施例２について、図３および図４を参照しながら説明する。
【００３４】
なお実施例１と同一符号のものは同一構造を有し、説明は省略する。
実施例１と異なる点は図３に示すとおり、排泄物受け手段１に便採取手段１１の保持部１３を設けて有り、便採取手段１１はこの保持部１３で保持され、便受け部２に挿入したことである。便採取手段１１は弾力性を持ったポリエチレンチュープ等で棒状等の形状を有しており、先端には便が付着しやすいスクリュー溝部１２が設けてある。
【００３５】
次に動作、作用について説明する。使用者が排泄物検査の目的で、排泄物受け手段１の便受け部２の上で排便を行う。排泄された便は実施例１と同様に、落下後、便受け部２に入る。便受け部２に便が入ると、図４に示すように支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１のスクリュー溝部１２に付着した便を検査用サンプルとして、採取手段１１を保持部１３から外すことにより採取する。
【００３６】
（実施例３）
本発明の実施例３について、図５を参照しながら説明する。
【００３７】
実施例１ないし実施例２と異なる点は図５に示すとおり、採取手段１１の先端にスクリュー溝部でなく、溝孔部２０を設けたところである。溝孔部２０は採取手段１１と同断面のＡＢＳ樹脂等の棒状材料に、便受け部２で受けた便に接触する面を溝孔形状に成形したものである。
【００３８】
なお実施例１ないし実施例２と同一符号のものは同一構造を有し、説明は省略する。
【００３９】
次に動作、作用について説明する。使用者が排泄物検査の目的で、排泄物受け手段１の便受け部２の上で排便を行う。排泄された便は実施例２と同様に、落下後、便受け部２に入る。便受け部２に便が入ると、図４に示すように支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１を軸方向に引くことにより、便と接触している溝孔部２０の先端側の壁が便を掻き取り、溝孔部２０に便が充填する。
【００４０】
（実施例４）
本発明の実施例４について、図６および図７を参照しながら説明する。
【００４１】
なお実施例１ないし実施例３と同一符号のものは同一構造を有し、説明は省略する。
【００４２】
実施例１ないし実施例３と異なる点は図６に示すとおり、便受け部２の支持部３の反対側の端部と、支持部３の便受け部２の反対側の端部に貫通孔２１および貫通孔２２を各々設け、採取手段１１を両貫通孔２１と２２を貫通する様に設けたものである。
【００４３】
次に動作、作用について説明する。使用者が排泄物検査の目的で、排泄物受け手段１の便受け部２の上で排便を行う。排泄された便は実施例２、実施例３と同様に、落下後、便受け部２に入る。便受け部２に便が入ると、図７（ａ）、（ｂ）、（ｃ）に示すように支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１を軸方向に引くことにより、図７（ｃ）に示すとおり、貫通孔２１から採取手段１１が外れ、屈曲していた反発力で便受け部２で受けた便に溝孔部２０が圧接されながら引かれることになる。そして便と接触している溝孔部２０の先端側の壁が便を掻き取り、溝孔部２０に便が入る。
【００４４】
（実施例５）
本発明の実施例５について、図８を参照しながら説明する。
【００４５】
なお実施例２ないし実施例４と同一符号２１と２２のものは同一構造を有し、説明は省略する。
【００４６】
実施例２ないし実施例４と異なる点は図８に示すとおり、便受け部２の支持部３の反対側の端部と、支持部３の便受け部２の反対側の端部に貫通孔２１および貫通孔２２を各々設け、採取手段１１を両貫通孔２１と２２を貫通する様に設け、さらに両貫通孔２１と２２の間の支持部３に突起部２５を設けたものである。突起部２５は支持部３の一部を突起状に成形したもので、その高さは貫通孔２１および貫通孔２２を支点として屈曲する際に中間支点として作用できる程度の高さとする。
【００４７】
次に動作、作用について説明する。使用者が排泄物検査の目的で、排泄物受け手段１の便受け部２の上で排便を行う。排泄された便は実施例４と同様に、落下後、便受け部２に入る。便受け部２に便が入ると、支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１を軸方向に引くことにより、貫通孔２１から採取手段１１が外れ、屈曲していた反発力で便受け部２で受けた便に溝孔部２０が圧接されながら引かれることになるが、このとき反発力は貫通孔２２と突起部２５間の距離Ｌ３に対する突起部２５と貫通孔２１間の距離Ｌ１の比に反比例する。つまりＬ１／Ｌ３が小さいほど反発力は大きくなる。突起部２５がないと反発力は、保持部１３と貫通孔２２間の距離Ｌ４に対する貫通孔２２と貫通孔２１間の距離Ｌ２の比に反比例するので、突起部２５を設けたことにより、（Ｌ２／Ｌ４）／（Ｌ１／Ｌ３）に比例して反発力が大きくなる。そして大きくなった反発力により、便と接触している溝孔部２０の先端側の壁が便を掻き取り、溝孔部２０に便が入る。
【００４８】
（実施例６）
本発明の実施例６について、図９を参照しながら説明する。
【００４９】
なお実施例５と同一符号のものは同一構造を有し、説明は省略する。
実施例５と異なる点は図９に示すとおり、採取手段１１に設けた溝孔部２０を含む部分の外径Φｂとほぼ同径の内径Φｂの貫通孔２２に採取手段１１を貫通したものである。ΦａはΦｂよりやや大きいが採取手段１１を摺動させた際に、軸ぶれをほとんど起こさない程度の内径であり、実施例では採取手段１１を直径３ｍｍのポリエチレンチュープ、貫通孔２２は内径３．１ｍｍに成形した。
【００５０】
次に動作、作用について説明する。使用者が排泄物検査の目的で、排泄物受け手段１の便受け部２の上で排便を行う。排泄された便は実施例４と同様に、落下後、便受け部２に入る。便受け部２に便が入ると、支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１を軸方向に引くことにより、貫通孔２１から採取手段１１が外れ、屈曲していた反発力で便受け部２で受けた便に溝孔部２０が圧接されながら引かれる。そして便と接触している溝孔部２０の先端側の壁が便を掻き取り、溝孔部２０に便が充填する。この時、余分な便が採取手段１１の溝孔部２０の周辺に付着する。これを採取手段１１をさらに引くことにより、溝孔部２０が貫通孔２２を通る。この際貫通孔２０の内縁により採取手段１１の溝孔部２０の周辺に付着した余分な便を掻き取る。
【００５１】
（実施例７）
本発明の実施例７について、図１０を参照しながら説明する。
【００５２】
なお実施例５と同一符号のものは同一構造を有し、説明は省略する。
実施例１ないし実施例６と異なる点は図１０に示すとおり、支持部３に便器５上に設置された便座３０の構成部材である排泄物受け手段１の取り付け部３１を設け、支持部３にこの取り付け部３１との嵌合部３２を設けたものである。ここでは取り付け部３１はＡＢＳ樹脂成形、支持部３およびその一部である嵌合部３２は紙材料であるパルプモールド材で構成した。パルプモールド材の原料としては水分散性の繊維基材と水溶解性のバインダーを使用したが、ポリビニルアルコール等の材料自体に水溶解性がある材料による成形品としてもよい。
【００５３】
次に動作、作用について説明する。使用者が排泄物検査の目的で、排泄物受け手段１の便受け部２の上で排便を行う。排泄された便は実施例４と同様に、落下後、便受け部２に入る。便受け部２に便が入ると、そして支持部３および採取手段１１が受けた便の重量により、屈曲する。支持部３および採取手段１１の屈曲により便受け部２は傾倒する。そして便受け部２のカップからはみ出した余分な便がオーバーフローし、便槽に落下する。使用者は排泄終了後、採取手段１１を軸方向に引くことにより、便受け部２で受けた便に溝孔部２０が圧接されながら引かれる。そして便と接触している溝孔部２０の先端側の壁が便を掻き取り、溝孔部２０に便が入る。その後、取り付け部３１から嵌合部３２を脱着することにより、排泄物受け手段１は便座３０から外れ、便槽に落下する。排泄物受け手段は水溶性材料で構成しているため、便槽内で溶解し汚水配管に流すことができる。
【００５４】
【発明の効果】
以上のように本発明によれば、便受け部が、排泄された糞便の内必要な量を確保した後、糞便の重さにより、支持部が屈曲し、支持部に支持された便受け部を傾倒させることにより、余分な便を便受け部上部に滞留させずにオーバーフローさせ、便漕に落下させることができるので、必要以上の便が溜り、使用者が大量の便塊により不快な感じを受けることを和らげるという効果を有する。
【００５５】
また、排泄物の一部を採取する採取手段を有し、採取手段は排泄物受け手段の便受け部に挿入して成るものであり、この採取手段が受けた便の一部を採取することで、採取手段を便の中に挿入する手間が省け、使用者が便塊に採取手段を突き刺す時の不快感を和らげるという効果を有する。
【００５６】
また、受け手段に確保された糞便の重さにより、弾力性を有した支持部および弾力性を有した採取手段が屈曲し、支持部に支持された便受け部を傾倒させる際に、必要な糞便量が多く支持部の弾力では不十分な場合、採便棒の弾力性で、支持部の弾力が補強でき、確実な糞便確保ができるという効果を有する。
【００５７】
また、採取手段の便受け部への挿入部分に、受けた便に接する方向で設けた溝孔部に糞便が圧接することにより、溝孔部による糞便採取が容易にできるという効果を有する。
【００５８】
また、便受け部の支持部の反対側の端部と支持部の便受け部の反対側の端部に貫通孔を設け、便受け部の糞便の重さにより、両端部の貫通孔を支点として採取手段が屈曲し、その反発力により糞便への溝孔部の圧接力を高めることができるので、溝孔部による糞便採取が容易になるという効果を有する。
【００５９】
また、支持部に設けた突起が、糞便の重さで採取手段が屈曲する際の支点となり、採取手段の屈曲長さが短くなることで、屈曲の反発力が高くなり、糞便への溝孔部の圧接力を高めることができ、糞便採取が確実にできるという効果を有する。
【００６０】
また、便受け部が採取した糞便の一部を、採取手段が溝孔部により採取し、溝孔部を含む部分の外径とほぼ同径の貫通孔を通して採取手段を引き抜くことにより、採取手段の溝孔部に余分に付着した糞便を掻き取ることができ、採取手段に余分な便が付着することによる、使用者の不快感を防ぐという効果を有する。
【００６１】
また、排泄物受け手段を便器に着脱可能に取り付けることにより、糞便で汚れた便受け部を含む排泄物受け手段を外し、廃棄することができるという効果を有する。
【００６２】
また、排泄物受け手段は水溶性材料で構成したことにより、糞便の採取により汚れた排泄物受け手段を、便器から脱着し廃棄する際に、便漕に落下後に汚水配管に流すことができ、廃棄が容易になるという効果を有する。
【図面の簡単な説明】
【図１】本発明の実施例１における排泄物受け手段の要部構成図
【図２】（ａ）便が落下し便受け部に入る直前の状態を示す図
（ｂ）便が便受け部に入った時の状態を示す図
（ｃ）便が便受け部からオーバーフローする状態を示す図
【図３】本発明の実施例２における排泄物受け手段の要部構成図
【図４】同排泄物受け手段の動作説明図
【図５】本発明の実施例３における要部構成図
【図６】本発明の実施例４における排泄物受け手段の要部構成図
【図７】（ａ）便が落下し便受け部に入る直前の状態を示す図
（ｂ）便が便受け部に入った時の状態を示す図
（ｃ）便が便受け部からオーバーフローする状態を示す図
同排泄物受け手段の動作説明図
【図８】本発明の実施例５における排泄物受け手段の要部構成図
【図９】本発明の実施例６における排泄物受け手段の要部斜視図
【図１０】本発明の実施例７における排泄物受け手段の要部構成図
【図１１】従来例の採便具の斜視図
【図１２】他の従来例の採便用シートの要部平面図
【符号の説明】
１  排泄物受け手段
２  便受け部
３  支持部
１１  採取手段
１２  スクリュー溝部
１３  保持部
２０  溝孔部
２１、２２  貫通孔
２５  突起部
３１  取り付け部
３２  嵌合部
【図１】
0003584646.tif 000002
【図２】
0003584646.tif 000003
【図３】
0003584646.tif 000004
【図４】
0003584646.tif 000005
【図５】
0003584646.tif 000006
【図６】
0003584646.tif 000007
【図７】
0003584646.tif 000008
【図８】
0003584646.tif 000009
【図９】
0003584646.tif 000010
【図１０】
0003584646.tif 000011
【図１１】
0003584646.tif 000012
【図１２】
0003584646.tif 000013